(57)【特許請求の範囲】
【請求項１】
地下工事の山留めの安全管理装置において、
所要箇所に取り付けられた計測器と、
前記計測器の計測データを集積し送信する現場自動計測盤と、
計測センターに設置し、前記計測データを受信し蓄積・加工・送信し、なお計測器と現場自動計測盤と通信装置を監視・制御する計測監視処理装置と、
建設現場事務所に設置し、前記計測データを前記現場自動計測盤より同時受信し、又前記計測センターより加工計測データを受信し、工事の進捗状況を適宜入力し、これらデータを蓄積・加工し図画表示及び出力可能な管理装置と、
これらを接続する通信手段とを有し、
前記管理装置では、前記計測データと工事進捗データとを関連づけ、両方をグラフの画像として重ね合わせて表示することで、状況変化による計測量の変化を読み取り、山留めが安全であるか危険であるかの評価・判断を行うことを可能とすることを特徴とする山留めの安全管理装置。
【請求項２】
前記管理装置のデータ加工は、前記計測データ・加工計測データと工事進捗データを表示すると共に、予め設定した設計値・安全管理値等と組合せ予測・経時変化等シュミレーションや報告書作成等が可能なことを特徴とする請求項１の山留めの安全管理装置。
【請求項３】
前記管理装置が支店技術部門等他の場所にも設置され常時モニター可能なことを特徴とする請求項１又は２の山留めの安全管理装置。
【請求項４】
前記現場自動計測盤、計測監視処理装置、管理装置間の通信手段が公衆電話回線を利用することを特徴とする請求項１，２又は３の山留めの安全管理装置。
【発明の詳細な説明】
【０００１】
【産業上の利用分野】
本発明は、地下切削工事の山留めや、切土、盛土の擁壁等、特に仮設工事における崩壊防止用防護壁の安全管理装置に関する。
【０００２】
【従来の技術】
従来、山留壁の安全管理は、目視による監視が主で、人間の経験と感覚により異常を察知し対策を講じてきた。
最近では、科学技術の進歩により各種センサーを用いて防護壁や支持物の変化を計測することも行なわれている。
【０００３】
【発明が解決しようとする課題】
しかし、各種センサーによる計測値を元にした正常・異常の判断は人間（経験の深い各種熟練技術者）が行なう。また、異常時の対応についても適切で迅速な処理が不可欠であり、適切さを欠き時機を逸すると大事故に通じる場合がある。また、計測値から異常を発見しても、熟練技術者が建設現場に常時駐在していない場合、電話やファクシミリでやり取りをしていると、時機を逸してしまう場合もある。
また、計測値の異常が、計測器の異常や建設現場であるための異常（建設機械による振動や、風雨にさらされた過酷な条件下への計測器の設置等）の判断や対応の必要もある。
【０００４】
そこで、本発明は、前記従来技術の問題点に鑑みてなされたもので、その目的とするところは、作業所の計測データを計測センターで管理し、計測上のトラブルを発見して即座に対処すると共に山留めの安全管理の質を向上させることにある。
【０００５】
【課題を解決するための手段】
上記目的を達成するために、請求項１では、地下工事の山留めの安全管理装置において、所要箇所に取り付けられた複数の計測器と、前記計測器の計測データを集積し送信する現場自動計測盤と、計測センターに設置し、前記計測データを受信し蓄積・加工・送信し、なお計測器と現場自動計測盤と通信装置を監視・制御する計測監視処理装置と、建設現場事務所に設置し、前記計測データを前記現場自動計測盤より同時受信し、又前記計測センターより加工計測データを受信し、工事の進捗状況を適宜入力し、これらデータを蓄積・加工し図画表示及び出力可能な管理装置と、これらを接続する通信手段とを有し、前記管理装置では、前記計測データと工事進捗データとを関連づけ、両方をグラフの画像として重ね合わせて表示するようにした。これにより状況変化による計測量の変化を読み取り、山留めが安全であるか危険であるかの評価・判断を行う。また、請求項２では、前記管理装置のデータ加工は、前記計測データ・加工計測データと工事進捗データを表示すると共に、予め設定した設計値・安全管理値等と組合せ予測・経時変化等シミュレーションや報告書作成等が可能になる。また、請求項３では、前記管理装置が支店技術部門等他の場所にも設置され常時モニター可能になる。また、請求項４では、前記現場自動計測盤、計測監視処理装置、管理装置間の通信手段が公衆電話回線を利用する。
【０００６】
【作用】
本発明では、作業所の所要箇所には、複数の計測器が取り付けられている。この計測器としては、測定項目に応じて、各種のセンサーが使用可能である。例えば、山留壁の水平変位の測定には、固定式傾斜計が使用される。また、山留壁の曲げ応力の測定には、芯材が鋼材の場合には表面ひずみ計が、コンクリート連続壁の場合には鉄筋計がそれぞれ使用される。また、山留め支保工の軸力・曲げ応力の測定には、鋼製切梁の場合には表面ひずみ計が、コンクリート切梁の場合には鉄筋計が、地盤アンカーの場合にはセンターホール型荷重計がそれぞれ使用される。また、地下水位の測定には、間隙水圧計が使用される。
【０００７】
計測器の計測データは、現場自動計測盤により集積・送信される。計測センターには、計測監視処理装置が設置されており、計測データを受信して蓄積・加工・送信すると共に、計測器と現場自動計測盤と通信装置等を監視・制御する。このようにすれば、計測技術に関する熟練技術者を各建設現場事務所に駐在させなくても、計測センターに駐在させるだけで計測上のトラブルの発見と対処が可能になる。つまり、計測センターの役目は、計測データをチェックし、計測器（センサー）の破損、ケーブルの断線、自動計測システムの作動不良など計測上のトラブルの発見と対処であり、常に信頼出来る計測結果を建設現場事務所等に転送することである。
【０００８】
一方、建設現場事務所には管理装置が設置されており、計測データを現場自動計測盤より同時受信すると共に、計測センターより加工計測データを受信し、工事の進捗状況を適宜入力し、これらデータを蓄積・加工し図画表示及び出力する。このようにして、建設現場事務所の技術者が山留めが安全であるか危険であるかの評価・判断を行なう。上述のように、計測に関する保守管理は計測センターで行なわれるので、建設現場事務所に計測技術に関する熟練技術者を駐在させる必要はない。
【０００９】
また、建設現場事務所等の管理装置には、計測データ、加工計測データ、工事の進捗状況データが蓄積・加工され図画表示されるので、山留めの安全に関する判断が容易になると共に安全管理の質が向上する。また、予め設定した設計値・安全管理値等と組合せ予測・経時変化等シュミレーションや報告書作成等が可能になる。
なお、上記計測データ・加工計測データ・工事進捗データは、支店技術部門等他の場所の管理装置にも送られて常時モニター可能となり、技術者により評価・判断が行なわれるようになっている。
【００１０】
【実施例】
本発明の実施例を図により説明する。
本発明の山留めの安全管理装置の全体構成を図１に示す。
作業所Ａの山留壁には、山留壁の変形（傾斜角）を検出する埋込式傾斜計１が複数個取付けられている。また、その支保工の切梁の要所には、切梁の軸力を検出する表面ひずみ計２が取付けられている。この埋込式傾斜計１及び表面ひずみ計２は、現場自動計測盤３にそれぞれ接続されている。
【００１１】
ここで、図１では、計測器として、埋込式傾斜計１と表面ひずみ計２を示したが、測定項目に応じて各種のセンサーが使用可能である。例えば、山留壁の水平変位の測定には、固定式傾斜計が使用される。また、山留壁の曲げ応力の測定には、芯材が鋼材の場合には表面ひずみ計が、コンクリート連続壁の場合には鉄筋計がそれぞれ使用される。また、山留め支保工の軸力・曲げ応力の測定には、鋼製切梁の場合には表面ひずみ計が、コンクリート切梁の場合には鉄筋計が、地盤アンカーの場合にはセンターホール型荷重計がそれぞれ使用される。また、地下水位の測定には、間隙水圧計が使用される。
【００１２】
現場自動計測盤３は、埋込式傾斜計１及び表面ひずみ計２により計測された計測データを集積して通信装置３０により送信する。現場自動計測盤３は、建設現場事務所４に接続されると共に、公衆電話回線Ｂを介して計測センター５と支店技術部門６に接続されている。
【００１３】
計測センター５には、計測監視処理装置を構成する小型電算機５０とモニタ５１とが設置されている。現場自動計測盤３から公衆電話回線Ｂを介して送られてきた計測データは、この計測監視処理装置により受信され蓄積・加工・送信されると共に、埋込式傾斜計１及び表面ひずみ計２と現場自動計測盤３と通信装置３０等を監視・制御する。
【００１４】
建設現場事務所４には、管理装置を構成する小型電算機４０、モニタ４１、通信装置４２が設置されている。この管理装置は、計測データを現場自動計測盤３より同時受信すると共に、計測センター５より加工計測データを受信し、工事の進捗状況（掘削進度、支保工取付等）が適宜入力される。さらに、これらデータを蓄積・加工し図画表示及び出力する（図２参照）。
また、支店技術部門６にも、管理装置を構成する小型電算機６０、モニタ６１が設置され、上記計測データ、加工計測データ、工事進捗データを表示及び出力可能になっている。
【００１５】
次に、本発明の動作を説明する。
埋込式傾斜計１及び表面ひずみ計２により計測されて、現場自動計測盤３により集積された計測データは、通信装置３０により、建設現場事務所４、計測センター５、支店技術部門６にそれぞれ送信される。
【００１６】
計測センター５に送られてきた計測データは、計測監視処理装置（小型電算機５０、モニタ５１）により受信され蓄積・加工・送信されると共に、埋込式傾斜計１及び表面ひずみ計２と現場自動計測盤３と通信装置３０等を監視・制御する。この監視・制御は、計測センター５に常時駐在している計測器専門の熟練技術者が行ない、埋込式傾斜計１及び表面ひずみ計２の異常や配線の異常（断線等）を判断して、計測回路の切り替えや修理体制の即応などを的確に行なう。このようにすれば、計測技術に関する熟練技術者を各建設現場事務所４に駐在させなくても、計測センター５に駐在させるだけで計測上のトラブルの発見と対処が可能になる。
【００１７】
建設現場事務所４の管理装置には、計測データを現場自動計測盤３より同時受信すると共に、計測センター５より加工計測データを受信し、さらに工事の進捗状況（掘削進度、支保工取付等）が適宜入力される。これらのデータは、専用プログラムにより加工されて、モニタ４１の画面上にグラフ表示されると共に、印字・記録される。このように、管理装置のモニタ４１には、工事進捗データ、加工計測データ、計測データが合成されてグラフ表示される。
【００１８】
具体的には、これらのデータの加工は専用プログラムにより行なわれ、この専用プログラムにより計測データを工事進捗データと関連づけて画面上にグラフ表示する。この専用プログラムは、メニューを選択することにより、図２に示すように、現在値のみ又は過去から現在に至る履歴とをめくり絵的に表示したり、指定した期間の計測データとその時の工事進捗状況とを履歴グラフとして表示したりするものである。つまり、地下工事の進捗状況（何ｍまで掘削した、あるいは切梁を架設または解体したという情報）と関連づけて図またはグラフで表示することにより、工事進捗状況とその時の山留めの状況が関連づけて把握でき、かつそれを履歴としても見られる。
【００１９】
このように、工事進捗データと計測データとを関連付けてグラフ表示することにより、状況変化による計測量の変化を直ちに読み取ることが可能になる。例えば、掘削深度が大きくなれば土圧も当然大きくなり計測量にも表われるが、これをグラフの画像として重ね合わせれば正常か異常かの判断が容易になる。このようにして建設現場事務所４の技術者が、山留めが安全であるか危険であるかの評価・判断を行なう。また、予め設定した設計値・安全管理値等と組合せ予測・経時変化等シミュレーションや報告書作成等が可能になる。
【００２０】
さらに、上記計測データ・加工計測データ・工事進捗データは、支店技術部門６の管理装置（小型電算機６０、モニタ６１）にも送られて常時モニター可能となり、技術者により評価・判断が行なわれる。
上記実施例では、計測センター５には、建設現場事務所４と支店技術部門６のみが接続されているが、その他の管理事務所を接続して作業所支援体制を一層強化するようにしてもよい。
【００２１】
【発明の効果】
本発明によれば、作業所の計測データを計測センターに送って、計測センターで一括管理するようにしたので、計測技術に関する熟練技術者を各建設現場事務所に駐在させなくても、計測センターに駐在させるだけで計測上のトラブルの発見と対処が可能になる。
また、計測センターで得られた計測結果は、建設現場事務所あるいは支店技術部門にそれぞれ転送されるので、建設現場事務所または支店技術部門の技術者が山留めが安全であるか危険であるかの評価・判断を的確に行なうことができ、これにより山留め安全管理の質を向上させることができる。
また、各種測定器により常時計測し記録することにより、時間の経過と異常の変化が理解出来、技術者の判断資料が豊富になる。
また、工事の進捗状況データを記録して各計測データと合わせることにより、状況変化による計測データの変化を読み取ることが可能になる。
また、各々の事務所で監視することにより、熟練専門技術者による技術支援がスムーズに行なわれる。
さらに、出力データをグラフにすることにより数字の羅列に比べ判読が簡単であると同時に、技術報告書等の再制作の必要がなく省力化が図れる。
【図面の簡単な説明】
【図１】本発明の山留めの安全管理装置の全体構成を示す図である。
【図２】グラフ表示された画面イメージである。
【符号の説明】
１  埋込式傾斜計
２  表面ひずみ計
３  現場自動計測盤
４  建設現場事務所
５  計測センター
６  支店技術部門
【図１】
0003718255.tif 000002
【図２】
0003718255.tif 000003